(57)【要約】  多連型積層セラミックコンデンサであって、第１の電極と、第２の電極と、第１の電極と第２の電極の間に配置された第１の接地用電極を含む第１の内部電極と、第３の電極と、第４の電極と、第３の電極と第４の電極の間に配置された第２の接地用電極を含む第２の内部電極と、誘電体層間に複数の第１の内部電極と複数の第２の内部電極とを交互に積層し、並列方向に並設された２個の積層セラミックコンデンサと、を備え、第１の接地用電極および第２の接地用電極が積層体１の一対の側面に配置された、第１の接地用外部端子および第２の接地用外部端子にそれぞれ接続されている。
2018199220.tif 000002
【特許請求の範囲】
【請求項１】
複数の誘電体層が積層された、一対の面、一対の側面および一対の端面を有する直方体状の積層体と、
該積層体内の同一面内に前記積層体の長手方向に並べて配置された、前記一対の側面の第１の側面に引き出された第１の電極および第２の電極を有する第１の内部電極と、
前記積層体内の同一面内に前記積層体の長手方向に並べて配置された、前記第１の電極に積層方向で重なる位置に配置されるとともに前記一対の側面の第２の側面に引き出された第３の電極および前記第２の電極に積層方向で重なる位置に配置されるとともに前記第２の側面に引き出された第４の電極を有する第２の内部電極と、
前記誘電体層を挟んで複数の前記第１の内部電極と複数の前記第２の内部電極とを交互に積層し、前記積層体内に並列方向に所定間隔をおいて並設された第１および第２の積層セラミックコンデンサと、
前記第１の側面に配置された、前記第１の電極に接続された第１の信号用外部端子と、
前記第２の側面の前記第１の信号用外部端子に対向する位置に配置された、前記第３の電極に接続された第２の信号用外部端子と、
前記第２の側面に配置された、前記第４の電極に接続された第３の信号用外部端子と、
前記第１の側面の前記第３の信号用外部端子に対向する位置に配置された、前記第２の電極に接続された第４の信号用外部端子と、を備えており、
前記第１の内部電極は、前記第１の電極と前記第２の電極との間に配置された、前記一対の側面にそれぞれ引き出された第１の接地用電極を含んでおり、
前記第２の内部電極は、前記第３の電極と前記第４の電極との間に、前記第１の接地用電極に積層方向で重なる位置に配置された、前記一対の側面にそれぞれ引き出された第２の接地用電極を含んでおり、
前記第１の接地用電極は、前記第１の側面の前記第１の信号用外部端子と前記第４の信号用外部端子との間に位置する第１の接地用外部端子に接続され、
前記第２の接地用電極は、前記第２の側面の前記第２の信号用外部端子と前記第３の信号用外部端子との間に位置する第２の接地用外部端子に接続されていることを特徴とする多連型積層セラミックコンデンサ。
【請求項２】
複数の誘電体層が積層された、一対の面、一対の側面および一対の端面を有する直方体状の積層体と、
該積層体内の同一面内に前記積層体の長手方向に並べて配置された、前記一対の側面の第１の側面に引き出された第１の電極および前記一対の側面の第２の側面に引き出された第２の電極を有する第１の内部電極と、
前記積層体内の同一面内に前記積層体の長手方向に並べて配置された、前記第１の電極に積層方向で重なる位置に配置されるとともに前記第２の側面に引き出された第３の電極および前記第２の電極に積層方向で重なる位置に配置されるとともに前記第１の側面に引き出された第４の電極を有する第２の内部電極と、
前記誘電体層を挟んで複数の前記第１の内部電極と複数の前記第２の内部電極とを交互に積層し、前記積層体内に並列方向に所定間隔をおいて並設された第１および第２の積層セラミックコンデンサと、
前記第１の側面に配置された、前記第１の電極に接続された第１の信号用外部端子と、
前記第２の側面の前記第１の信号用外部端子に対向する位置に配置された、前記第３の電極に接続された第２の信号用外部端子と、
前記第２の側面に配置された、前記第２の電極に接続された第３の信号用外部端子と、
前記第１の側面の前記第３の信号用外部端子に対向する位置に配置された、前記第４の電極に接続された第４の信号用外部端子と、を備えており、
前記第１の内部電極は、前記第１の電極と前記第２の電極との間に配置された、前記一対の側面にそれぞれ引き出された第１の接地用電極を含んでおり、
前記第２の内部電極は、前記第３の電極と前記第４の電極との間に、前記第１の接地用電極に積層方向で重なる位置に配置された、前記一対の側面にそれぞれ引き出された第２の接地用電極を含んでおり、
前記第１の接地用電極は、前記第１の側面の前記第１の信号用外部端子と前記第４の信号用外部端子との間に位置する第１の接地用外部端子に接続され、
前記第２の接地用電極は、前記第２の側面の前記第２の信号用外部端子と前記第３の信号用外部端子との間に位置する第２の接地用外部端子に接続されていることを特徴とする多連型積層セラミックコンデンサ。
【発明の詳細な説明】
【技術分野】
【０００１】
本開示は、積層セラミックコンデンサを単一の積層体内に複数個形成した多連型積層セラミックコンデンサに関する。
【背景技術】
【０００２】
近年、情報処理機器または通信機器等は、多くのセンサが搭載されており、特に、ウエアラブル機器においては生体信号センサが搭載されている。生体信号は、微弱でノイズ成分を多く含んでおり、特性の揃った２ｃｈのＡＤコンバータ回路を用いてセンシング（計測）される。この特性の揃った２ｃｈのＡＤコンバータ回路は、コンデンサ部品として特性の揃ったコンデンサ（マッチドペアコンデンサ）が用いられている。例えば、小型情報機器で、積層セラミックコンデンサを単一の積層体内に複数個形成した多連型積層セラミックコンデンサが用いられている。多連型積層セラミックコンデンサは、材料または製造プロセスの特性バラつきを低減することができるので、内部の複数個の積層セラミックコンデンサの各種特性を揃えることができる。このような多連型積層セラミックコンデンサは、例えば、特許文献１に開示されている。
【先行技術文献】
【特許文献】
【０００３】
【特許文献１】特開２０００−２７７３８０号公報
【発明の概要】
【０００４】
本開示の多連型積層セラミックコンデンサは、積層体と、第１および第２の内部電極と、第１および第２の積層セラミックコンデンサと、第１〜第４の信号用外部端子と、を備えている。積層体は、複数の誘電体層が積層された、一対の面、一対の側面および一対の端面を有する直方体状である。第１の内部電極は、前記積層体内の同一面内に前記積層体の長手方向に並べて配置され、前記一対の側面の第１の側面に引き出された第１の電極および第２の電極を有している。第２の内部電極は、前記積層体内の同一面内に前記積層体の長手方向に並べて配置され、前記第１の電極に積層方向で重なる位置に配置されるとともに前記一対の側面の第２の側面に引き出された第３の電極を有している。また、第２の内部電極は、前記第２の電極に積層方向で重なる位置に配置されるとともに前記第２の側面に引き出された第４の電極を有している。第１および第２の積層セラミックコンデンサは、前記誘電体層を挟んで複数の前記第１の内部電極と複数の前記第２の内部電極とを交互に積層し、前記積層体内に並列方向に所定間隔をおいて並設されている。第１の信号用外部端子は、前記第１の側面に配置された、前記第１の電極に接続されている。第２の信号用外部端子は、前記第２の側面の前記第１の信号用外部端子に対向する位置に配置され、前記第３の電極に接続されている。第３の信号用外部端子は、前記第２の側面に配置された、前記第４の電極に接続されている。第４の信号用外部端子は、前記第１の側面の前記第３の信号用外部端子に対向する位置に配置され、前記第２の電極に接続されている。前記第１の内部電極は、前記第１の電極と前記第２の電極との間に配置された、前記一対の側面にそれぞれ引き出された第１の接地用電極を含んでいる。前記第２の内部電極は、前記第３の電極と前記第４の電極との間に、前記第１の接地用電極に積層方向で重なる位置に配置された、前記一対の側面にそれぞれ引き出された第２の接地用電極を含んでいる。前記第１の接地用電極は、前記第１の側面の前記第１の信号用外部端子と前記第４の信号用外部端子との間に位置する第１の接地用外部端子に接続されている。前記第２の接地用電極は、前記第２の側面の前記第２の信号用外部端子と前記第３の信号用外部端子との間に位置する第２の接地用外部端子に接続されている。
【０００５】
また、本開示の多連型積層セラミックコンデンサは、積層体と、第１および第２の内部電極と、第１および第２の積層セラミックコンデンサと、第１〜第４の信号用外部端子と、を備えている。前記積層体は、複数の誘電体層が積層された、一対の面、一対の側面および一対の端面を有する直方体状である。第１の内部電極は、前記積層体内の同一面内に前記積層体の長手方向に並べて配置された、前記一対の側面の第１の側面に引き出された第１の電極および前記一対の側面の第２の側面に引き出された第２の電極を有している。第２の内部電極は、前記積層体内の同一面内に前記積層体の長手方向に並べて配置された、前記第１の電極に積層方向で重なる位置に配置されるとともに前記第２の側面に引き出された第３の電極を有している。また、第２の内部電極は、前記第２の電極に積層方向で重なる位置に配置されるとともに前記第１の側面に引き出された第４の電極を有している。第１および第２の積層セラミックコンデンサは、前記誘電体層を挟んで複数の前記第１の内部電極と複数の前記第２の内部電極とを交互に積層し、前記積層体内に並列方向に所定間隔をおいて並設されている。第１の信号用外部端子は、前記第１の側面に配置された、前記第１の電極に接続されている。第２の信号用外部端子は、前記第２の側面の前記第１の信号用外部端子に対向する位置に配置され、前記第３の電極に接続されている。第３の信号用外部端子は、前記第２の側面に配置された、前記第２の電極に接続されている。第４の信号用外部端子は、前記第１の側面の前記第３の信号用外部端子に対向する位置に配置され、前記第４の電極に接続されている。前記第１の内部電極は、前記第１の電極と前記第２の電極との間に配置された、前記一対の側面にそれぞれ引き出された第１の接地用電極を含んでいる。前記第２の内部電極は、前記第３の電極と前記第４の電極との間に、前記第１の接地用電極に積層方向で重なる位置に配置され、前記一対の側面にそれぞれ引き出された第２の接地用電極を含んでいる。前記第１の接地用電極は、前記第１の側面の前記第１の信号用外部端子と前記第４の信号用外部端子との間に位置する第１の接地用外部端子に接続されている。前記第２の接地用電極は、前記第２の側面の前記第２の信号用外部端子と前記第３の信号用外部端子との間に位置する前記第２の接地用外部端子に接続されている。
【図面の簡単な説明】
【０００６】
【図１】実施の形態１に係る多連型積層セラミックコンデンサを示す概略の斜視図である。
【図２】図１に示す多連型積層セラミックコンデンサの概略の分解斜視図である。
【図３】図１に示す多連型積層セラミックコンデンサのＡ−Ａ線で切断した断面図である。
【図４Ａ】図１に示す多連型積層セラミックコンデンサのＢ−Ｂ線で切断した断面図である。
【図４Ｂ】図１に示す多連型積層セラミックコンデンサのＣ−Ｃ線で切断した断面図である。
【図４Ｃ】図１に示す多連型積層セラミックコンデンサのＤ−Ｄ線で切断した断面図である。
【図５Ａ】図１に示す多連型積層セラミックコンデンサのＥ−Ｅ線で切断した第１の内部電極を示す断面図である。
【図５Ｂ】図１に示す多連型積層セラミックコンデンサのＥ−Ｅ線で切断した第２の内部電極を示す断面図である。
【図６Ａ】シミュレーションに用いた実施の形態１に係る多連型積層セラミックコンデンサの内部電極のパターンを説明するための説明図である。
【図６Ｂ】シミュレーションに用いた接地用電極を備えていない多連型積層セラミックコンデンサの内部電極のパターンを説明するための説明図である。
【図７Ａ】実施の形態１に係る多連型積層セラミックコンデンサのシミュレーションにより得られたクロストークの結果を示すグラフである。
【図７Ｂ】接地用電極を備えていない多連型積層セラミックコンデンサのシミュレーションにより得られたクロストークの結果を示すグラフである。
【図８Ａ】実施の形態１に係る多連型積層セラミックコンデンサのシミュレーションにより得られたクロストークの結果を示すグラフである。
【図８Ｂ】接地用電極を備えていない多連型積層セラミックコンデンサのシミュレーションにより得られたクロストークの結果を示すグラフである。
【図９】実施の形態２に係る多連型積層セラミックコンデンサの概略の分解斜視図である。
【図１０Ａ】実施の形態２に係る多連型積層セラミックコンデンサの図１のＢ−Ｂ線の相当する線で切断した断面図である。
【図１０Ｂ】実施の形態２に係る多連型積層セラミックコンデンサの図１のＣ−Ｃ線の相当する線で切断した断面図である。
【図１０Ｃ】実施の形態２に係る多連型積層セラミックコンデンサの図１のＤ−Ｄ線に相当する線で切断した断面図である。
【図１１Ａ】実施の形態２に係る多連型積層セラミックコンデンサの図１のＥ−Ｅ線に相当する線で切断した第１の内部電極を示す断面図である。
【図１１Ｂ】実施の形態２に係る多連型積層セラミックコンデンサの図１のＥ−Ｅ線に相当する線で切断した第２の内部電極を示す断面図である。
【図１２Ａ】実施の形態１に係る多連型積層セラミックコンデンサの他の例の図１のＥ−Ｅ線に相当する線で切断した第１の内部電極を示す断面図である。
【図１２Ｂ】実施の形態１に係る多連型積層セラミックコンデンサの他の例の図１のＥ−Ｅ線に相当する線で切断した第２の内部電極を示す断面図である。
【図１３】図１２に示す多連型積層セラミックコンデンサの図１のＡ−Ａ線に相当する線で切断した断面図である。
【発明を実施するための形態】
【０００７】
多連型積層セラミックコンデンサは、単一の積層体内に複数個の積層セラミックコンデンサが配置されている。例えば、第１および第２の積層セラミックコンデンサを２個備えている場合には、隣り合う積層セラミックコンデンサ間に浮遊容量による電界結合が発生する。また、片方の積層セラミックコンデンサに流れる信号で発生する磁界によって隣り合う積層セラミックコンデンサ間に磁界結合も発生する。このため、第１の積層セラミックコンデンサを流れる信号が第２の積層セラミックコンデンサに漏れるクロストーク（漏話）が発生する。
【０００８】
本開示の多連型積層セラミックコンデンサは、積層体内の複数個の積層セラミックコンデンサの間に接地用電極を配置している。これにより、本開示の多連型積層セラミックコンデンサは、クロストークを低減することができる。以下、本開示の多連型積層セラミックコンデンサについて、詳細に説明する。
【０００９】
＜実施の形態１＞
以下、本開示の実施の形態１に係る多連型積層セラミックコンデンサ１０について、図面を参照しながら説明する。
【００１０】
多連型積層セラミックコンデンサ１０は、便宜的に、直交座標系ＸＹＺを定義するとともに、Ｚ方向の正側を上方として、上面もしくは下面の用語を用いる。なお、各図面において、同じ部材および同じ部分に関しては、共通の符号を用いて、重複する説明は省略する。
【００１１】
多連型積層セラミックコンデンサ１０は、図および図２に示すように、積層体１と、第１の内部電極２と、第２の内部電極３と、第１〜第４の信号用外部端子４ａ〜４ｄと、第１の接地用外部端子５ａおよび第２の接地用外部端子５ｂとを備えている。第１の内部電極２は、第１の電極２ａ、第２の電極２ｂおよび第１の接地用電極２ｃを含んでいる。また、第２の内部電極３は、第３の電極３ａ、第４の電極３ｂおよび第２の接地用電極３ｃを含んでいる。
【００１２】
積層体１は、複数の誘電体層１ａが積層されて直方体状に形成され、誘電体層１ａとなるセラミックグリーンシートを複数枚積層して焼成することで得られる。このように、積層体１は、直方体状に形成されており、一対の面と、一対の側面と、一対の端面とを有している。一対の面は、互いに対向する上面１ｂおよび下面１ｃである。一対の側面は、上面１ｂおよび下面１ｃに直交し、互いに対向する第１の側面１ｄおよび第２の側面１ｅである。一対の端面は、第１の側面１ｄおよび第２の側面１ｅに直交し、互いに対向する第１の端面１ｆおよび第２の端面１ｇである。また、積層体１は、誘電体層１ａの積層方向（Ｚ方向）に対して、直交する断面（ＸＹ面）となる平面が、図５Ａおよび図５Ｂに示すように長方形状となっている。
【００１３】
多連型積層セラミックコンデンサ１０は、長手方向（Ｘ方向）の長さが、例えば、０．６（ｍｍ）〜２．２（ｍｍ）であり、短手方向（Ｙ方向）の長さが、例えば、０．３（ｍｍ）〜１．５（ｍｍ）であり、高さ方向（Ｚ方向）の長さが、例えば、０．３（ｍｍ）〜１．２（ｍｍ）である。
【００１４】
誘電体層１ａは、積層方向（Ｚ方向）からの平面視において長方形状であり、１層当たりの厚みが、例えば、０．５（μｍ）〜３（μｍ）である。積層体１は、例えば、１０（層）〜１０００（層）の複数の誘電体層１ａを有している。また、積層体１は、第１の内部電極２と第２の内部電極３とがＺ方向に誘電体層１ａを介して積層されている。また、積層体１内の第１の内部電極２および第２の内部電極３の積層数は、多連型積層セラミックコンデンサ１０の特性等に応じて適宜に設定される。
【００１５】
第１の内部電極２は、積層体１内に配置され、図２および図５Ａに示すように、第１の電極２ａおよび第２の電極２ｂを有している。第１の電極２ａおよび第２の電極２ｂは四角形状である。第１の電極２ａおよび第２の電極２ｂが一対となり、積層体１内の積層方向に対して直交する方向の同一面内に一対の側面に沿って並べて配置されている。すなわち、第１の電極２ａおよび第２の電極２ｂは、積層体１の長手方向に並べて配置されている。
【００１６】
第１の電極２ａは、第１の側面１ｄへの引出部２ａａを有している。また、第２の電極２ｂは、第１の側面１ｄへの引出部２ｂａを有している。第１の内部電極２は、第１の電極２ａと第２の電極２ｂとの間に第１の接地用電極２ｃが配置されている。なお、ここで、図３に示すように、同一面内とは、同一の層間と同義であり、同一の誘電体層１ａ間にあることをいう。
【００１７】
第１の電極２ａは、図５Ａに示すように、積層方向から平面視して四角形状の主電極部を有しており、引出部２ａａが主電極部の第１の側面１ｄ側の辺部から第１の側面１ｄに延在して設けられている。引出部２ａａは、端部が第１の側面１ｄに露出するように第１の側面１ｄに引き出されている。
【００１８】
また、第２の電極２ｂは、図５Ａに示すように、積層方向から平面視して四角形状の主電極部を有しており、引出部２ｂａが主電極部の第１の側面１ｄ側の辺部から第１の側面１ｄに延在して設けられている。引出部２ｂａは、端部が第１の側面１ｄに露出するように第１の側面１ｄに引き出されている。引出部２ａａおよび引出部２ｂａの引出し位置は、特に限定されず、例えば、主電極部の第１の側面１ｄ側の辺部の中央部に限らず、端部であってもよい。
【００１９】
第２の内部電極３は、積層体１内に形成され、図２および図５Ｂに示すように、第３の電極３ａおよび第４の電極３ｂを有している。第３の電極３ａおよび第４の電極３ｂは四角形状である。第３の電極３ａおよび第４の電極３ｂが一対となり、積層体１内の積層方向に対して直交する方向の同一面内に一対の側面に沿って並べて配置されている。すなわち、第３の電極３ａおよび第４の電極３ｂは、積層体１の長手方向に並べて配置されている。第３の電極３ａは、第１の電極２ａに積層方向で重なる位置に配置されるとともに第２の側面１ｅへの引出部３ａａを有している。また、第４の電極３ｂは、第２の電極２ｂに積層方向で重なる位置に配置されるとともに第２の側面１ｅへの引出部３ｂａを有している。第２の内部電極３は、第３の電極３ａと第４の電極３ｂとの間に第２の接地用電極３ｃが配置されている。なお、ここでも同一面内とは、同一の層間と同義であり、同一の誘電体層１ａ間にあることをいう。
【００２０】
このように、第３の電極３ａは、積層方向に第１の電極２ａに対向して配置され、第４の電極３ｂは、積層方向に第２の電極２ｂに対向して配置されている。また、第２の接地用電極３ｃは、図４Ｂに示すように、積層方向に第１の接地用電極２ｃに対向して配置されている。
【００２１】
第３の電極３ａは、図５Ｂに示すように、積層方向から平面視して四角形状の主電極部を有しており、引出部３ａａが主電極部の第２の側面１ｅ側の辺部から第２の側面１ｅに延在して設けられている。引出部３ａａは、端部が第２の側面１ｅに露出するように第２の側面１ｅに引き出されている。
【００２２】
また、第４の電極３ｂは、図５Ｂに示すように、積層方向から平面視して四角形状の主電極部を有しており、引出部３ｂａが主電極部の第２の側面１ｅ側の辺部から第２の側面１ｅに延在して設けられている。引出部３ｂａは、端部が第２の側面１ｅに露出するように第２の側面１ｅに引き出されている。引出部３ａａおよび引出部３ｂａの引出し位置は、特に限定されず、例えば、主電極部の第２の側面１ｅ側の辺部の中央部に限らず、端部であってもよい。
【００２３】
多連型積層セラミックコンデンサ１０は、図３に示すように、誘電体層１ａを挟んで複数の第１の内部電極２と複数の第２の内部電極３とが交互に積層され、積層体１内に並列方向に所定間隔をおいて第１の積層セラミックコンデンサ６ａおよび第２の積層セラミックコンデンサ６ｂが並設されている。
【００２４】
第１の内部電極２は、第１の電極２ａおよび第２の電極２ｂに加えて、第１の接地用電極２ｃを含んでいる。第１の接地用電極２ｃは、四角形状であり、図５Ａに示すように、第１の電極２ａと第２の電極２ｂとの間に配置されている。第１の接地用電極２ｃは、積層方向から平面視して四角形状の主電極部を有し、引出部２ｃａおよび引出部２ｃｂを備えている。引出部２ｃａは、主電極部の第１の側面１ｄ側の辺部から第１の側面１ｄに延在し、端部が第１の側面１ｄに露出するように第１の側面１ｄに引き出されている。また、引出部２ｃｂは、主電極部の第２の側面１ｅ側の辺部から第２の側面１ｅに延在し、端部が第２の側面１ｅに露出するように第２の側面１ｅに引き出されている。また、第１の接地用電極２ｃは、必ずしも引出部２ｃａおよび引出部２ｃｂが必要ではない。第１の接地用電極２ｃは、主電極部の四角形状を維持したままで第１の側面１ｄおよび第２の側面１ｅに引き出されてもよい。
【００２５】
第１の電極２ａと第１の接地用電極２ｃは、同一面内において、例えば、２０（μｍ）〜１００（μｍ）の間をおいて互いに配置されている。また、第２の電極２ｂと第１の接地用電極２ｃは、同一面内において、例えば、２０（μｍ）〜１００（μｍ）の間をおいて互いに配置されている。また、第１の接地用電極２ｃは、積層体１の長手方向（Ｘ方向）の長さが、例えば、６００（μｍ）〜１０００（μｍ）である。
【００２６】
第２の内部電極３は、第３の電極３ａおよび第４の電極３ｂに加えて、第２の接地用電極３ｃを含んでいる。第２の接地用電極３ｃは、四角形状であり、図５Ｂに示すように、第３の電極３ａと第４の電極３ｂとの間に配置されている。第２の接地用電極３ｃは、積層方向から平面視して四角形状の主電極部を有し、引出部３ｃａおよび引出部３ｃｂを備えている。引出部３ｃａは、主電極部の第１の側面１ｄ側の辺部から第１の側面１ｄに延在し、端部が第１の側面１ｄに露出するように第１の側面１ｄに引き出されている。また、引出部３ｃｂは、主電極部の第２の側面１ｅ側の辺部から第２の側面１ｅに延在し、端部が第２の側面１ｅに露出するように第２の側面１ｅに引き出されている。また、第２の接地用電極３ｃは、必ずしも引出部３ｃａおよび引出部３ｃｂが必要ではない。第２の接地用電極３ｃは、主電極部の四角形状を維持したままで第１の側面１ｄおよび第２の側面１ｅに引き出されてもよい。
【００２７】
第３の電極３ａと第２の接地用電極３ｃは、同一面内において、例えば、２０（μｍ）〜１００（μｍ）の間をおいて互いに配置されている。また、第４の電極３ｂと第２の接地用電極３ｃは、同一面内において、例えば、２０（μｍ）〜１００（μｍ）の間をおいて互いに配置されている。また、第２の接地用電極３ｃは、積層体１の長手方向（Ｘ方向）の長さが、例えば、６００（μｍ）〜１０００（μｍ）である。
【００２８】
上述のように、多連型積層セラミックコンデンサ１０は、図４Ａに示すように、積層体１内の積層方向において、第１の積層セラミックコンデンサ６ａが複数の第１の電極２ａおよび複数の第３の電極３ａで形成される。また、多連型積層セラミックコンデンサ１０は、図４Ｃに示すように、第２の積層セラミックコンデンサ６ｂが複数の第２の電極２ｂおよび複数の第４の電極３ｂで形成される。
【００２９】
第１の内部電極２および第２の内部電極３の導電材料は、例えば、ニッケル（Ｎｉ）、銅（Ｃｕ）、銀（Ａｇ）、パラジウム（Ｐｄ）または金（Ａｕ）等の金属材料である。また、第１の内部電極２および第２の内部電極３の導電材料は、これらの金属材料の１種以上を含む、例えば、Ａｇ−Ｐｄ合金等の合金材料である。第１の内部電極２および第２の内部電極３は、同一の金属材料または合金材料を用いてもよい。また、第１の内部電極２および第２の内部電極３は、厚みが、例えば、０．５（μｍ）〜２（μｍ）である。
【００３０】
第１〜第４の信号用外部端子４ａ〜４ｄは、図１に示すように、積層体１の対向する一対の側面の第１の側面１ｄおよび第２の側面１ｅにそれぞれ配置されている。第１の信号用外部端子４ａおよび第４の信号用外部端子４ｄは、第１の側面１ｄにそれぞれ配置されている。また、第２の信号用外部端子４ｂおよび第３の信号用外部端子４ｃは、第２の側面１ｅにそれぞれ配置されている。第１の信号用外部端子４ａおよび第２の信号用外部端子４ｂは、互いに対向して配置されている。第３の信号用外部端子４ｃおよび第４の信号用外部端子４ｄは、互いに対向して配置されている。第１〜第４の信号用外部端子４ａ〜４ｄは、図１に示すように、それぞれの端部が積層体１の上面１ｂおよび下面１ｃに延在するように設けられている。
【００３１】
図５Ａおよび図５Ｂに示すように、第１の信号用外部端子４ａは、第１の電極２ａの引出部２ａａに電気的に接続されている。第２の信号用外部端子４ｂは、第３の電極３ａの引出部３ａａに電気的に接続されている。また、第３の信号用外部端子４ｃは、第４の電極３ｂの引出部３ｂａに電気的に接続されている。第４の信号用外部端子４ｄは、第２の電極２ｂの引出部２ｂａに電気的に接続されている。
【００３２】
第１の信号用外部端子４ａは、引出部２ａａの第１の側面１ｄへの露出部を覆うように設けられている。第２の信号用外部端子４ｂは、引出部３ａａの第２の側面１ｅへの露出部を覆うように設けられている。また、第３の信号用外部端子４ｃは、引出部３ｂａの第２の側面１ｅへの露出部を覆うように設けられている。第４の信号用外部端子４ｄは、引出部２ｂａの第１の側面１ｄへの露出部を覆うように設けられている。また、第１〜第４の信号用外部端子４ａ〜４ｄは、多連型積層セラミックコンデンサ１０が搭載される回路基板（図示せず）上の、例えば、信号ライン用電極または電流ライン用電極等に接続されることになる。
【００３３】
一対の接地用外部端子は、互いに対向する第１の接地用外部端子５ａと第２の接地用外部端子５ｂとを含んでいる。第１の接地用外部端子５ａおよび第２の接地用外部端子５ｂは、図１に示すように、それぞれの端部が積層体１の上面１ｂおよび下面１ｃに延在するように設けられている。
【００３４】
第１の接地用外部端子５ａは、第１の信号用外部端子４ａと第４の信号用外部端子４ｄとの間に位置し、第１の側面１ｄに配置されている。第２の接地用外部端子５ｂは、第２の信号用外部端子４ｂと第３の信号用外部端子４ｃとの間に位置し、第２の側面１ｅに配置されている。第１の接地用外部端子５ａは、第１の接地用電極２ｃの引出部２ｃａおよび第２の接地用外部端子５ｃの引出部３ｃａに接続されている。第２の接地用外部端子５ｂは、第１の接地用電極２ｃの引出部２ｃｂおよび第２の接地用電極３ｃの引出部３ｃｂに接続されている。
【００３５】
また、第１の接地用外部端子５ａおよび第２の接地用外部端子５ｂは、例えば、多連型積層セラミックコンデンサ１０が搭載される回路基板（図示せず）上のグランド用電極にそれぞれ接続されることになる。
【００３６】
第１〜第４の信号用外部端子４ａ〜４ｄは、下地電極とめっき層とを含んでいる。また、第１の接地用外部端子５ａおよび第２の接地用外部端子５ｂは、下地電極とめっき層とを含んでいる。めっき層は、下地電極を覆うように下地電極の表面上に設けられている。また、めっき層は、下地電極を保護するために設けられる。
【００３７】
下地電極の導電材料は、例えば、ニッケル（Ｎｉ）、銅（Ｃｕ）、銀（Ａｇ）、パラジウム（Ｐｄ）または金（Ａｕ）等の金属材料である。または、下地電極の導電材料は、これらの金属材料の一種以上を含む、例えば、Ａｇ−Ｐｄ合金等の合金材料である。また、下地電極は、同一の金属材料または合金材料を用いてもよい。
【００３８】
下地電極は、上面１ｂおよび下面１ｃにおける厚みが、例えば、４（μｍ）〜１０（μｍ）であり、第１の側面１ｄおよび第２の側面１ｅにおける厚みが、例えば、１０（μｍ）〜２５（μｍ）である。
【００３９】
また、下地電極は、第１の側面１ｄから上面１ｂおよび下面１ｃに延在するように設けられ、また、第２の側面１ｅから上面１ｂおよび下面１ｃに延在するように設けられている。めっき層は、積層体１の表面に形成された下地電極を覆うように下地電極の表面上に設けられている。めっき層は、例えば、ニッケル（Ｎｉ）めっき層、銅（Ｃｕ）めっき層、金（Ａｕ）めっき層またはスズ（Ｓｎ）めっき層等である。また、めっき層は、例えば、電解めっき法を用いて形成される。
【００４０】
多連型積層セラミックコンデンサ１０は、例えば、めっき層が複数層であり、第１のめっき層と第２のめっき層を有している。このように、めっき層は、第１のめっき層および第１のめっき層の表面に形成された第２のめっき層の積層体である。
【００４１】
多連型積層セラミックコンデンサ１０は、例えば、第１のめっき層がニッケル（Ｎｉ）めっき層であり、第２のめっき層が錫（Ｓｎ）めっき層であり、第２のめっき層が第１のめっき層を覆うように設けられている。第１のめっき層は、厚みが、例えば、５（μｍ）〜１０（μｍ）である。第２のめっき層は、厚みが、例えば、３（μｍ）〜５（μｍ）である。めっき層は、下地電極の表面上に単一層で設けられていてもよい。
【００４２】
多連型積層セラミックコンデンサ１０は、第１の内部電極２の同一面内において、第１の電極２ａと第２の電極２ｂとの間に第１の接地用電極２ｃが配置されている。また、第２の内部電極３の同一面内において、第３の電極３ａと第４の電極３ｂとの間に第２の接地用電極３ｃが配置されている。
【００４３】
第１の接地用電極２ｃは、引出部２ｃａおよび引出部２ｃｂが第１の接地用外部端子５ａおよび第２の接地用外部端子５ｂにそれぞれ接続されている。第２の接地用電極３ｃは、引出部３ｃａおよび引出部３ｃｂが第１の接地用外部端子５ａおよび第２の接地用外部端子５ｂにそれぞれ接続されている。このように、多連型積層セラミックコンデンサ１０は、第１の接地用電極２ｃおよび第２の接地用電極３ｃが第１の接地用外部端子５ａおよび第２の接地用外部端子５ｂにそれぞれ接続されており、グランド用電極に電流を流す経路を有している。
【００４４】
多連型積層セラミックコンデンサは、例えば、第１の電極２ａと第２の電極２ｂとの間に第１の接地用電極２ｃが配置されていないと、第１の電極２ａと第２の電極２ｂとの間で浮遊容量が形成されやすい。また、多連型積層セラミックコンデンサは、第３の電極３ａと第４の電極３ｂとの間に第２の接地用電極３ｃが配置されていないと、第３の電極３ａと第４の電極３ｂとの間に浮遊容量が形成されやすい。
【００４５】
また、多連型積層セラミックコンデンサは、例えば、第１の接地用電極２ｃまたは第２の接地用電極３ｃが配置されていないと、第１の電極２ａと第４の電極３ｂとの間で浮遊容量が形成され、また、第２の電極２ｂと第３の電極３ａとの間に浮遊容量が形成されやすい。
【００４６】
このように、多連型積層セラミックコンデンサは、隣り合う積層体１内の積層セラミックコンデンサ間で浮遊容量が形成されると、浮遊容量が信号の漏れる経路となりクロストークが大きくなりやすい。
【００４７】
しかしながら、多連型積層セラミックコンデンサ１０は、第１の電極２ａと第２の電極２ｂとの間に第１の接地用電極２ｃが配置され、また、第３の電極３ａと第４の電極３ｂとの間に第２の接地用電極３ｃが配置されている。さらに、多連型積層セラミックコンデンサ１０は、第１の接地用電極２ｃおよび第２の接地用電極３ｃが第１の接地用外部端子５ａおよび第２の接地用外部端子５ｂにそれぞれ接続されている。
【００４８】
多連型積層セラミックコンデンサ１０は、第１の接地用電極２ｃが第１の接地用外部端子５ａおよび第２の接地用外部端子５ｂに接続されている。更に、多連型積層セラミックコンデンサ１０は、第１の接地用外部端子５ａおよび第２の接地用外部端子５ｂが接地される。これにより、多連型積層セラミックコンデンサ１０は、第１の電極２ａと第２の電極２ｂとの間に形成されていた浮遊容量の一部が、第１の電極２ａと第１の接地用電極２ｃとの間の浮遊容量と、第２の電極２ｂと第１の接地用電極２ｃとの間の浮遊容量に分割されて、それぞれの浮遊容量を第１の接地用電極２ｃを通して接地端に落とすことができる。
【００４９】
また、多連型積層セラミックコンデンサ１０は、第２の接地用電極３ｃが第１の接地用外部端子５ａおよび第２の接地用外部端子５ｂに接続されている。更に、多連型積層セラミックコンデンサ１０は、第１の接地用外部端子５ａおよび第２の接地用外部端子５ｂが接地される。これにより、多連型積層セラミックコンデンサ１０は、第３の電極３ａと第４の電極３ｂとの間に形成されていた浮遊容量の一部が、第３の電極３ａと第２の接地用電極３ｃとの間の浮遊容量と、第４の電極３ｂと第２の接地用電極３ｃとの間の浮遊容量に分割されて、それぞれの浮遊容量を第２の接地用電極３ｃを通して接地端に落とすことができる。
【００５０】
したがって、多連型積層セラミックコンデンサ１０は、隣り合う第１の積層セラミックコンデンサ６ａと第２の積層セラミックコンデンサ６ｂとの間のクロストークを小さくすることができる。
【００５１】
また、多連型積層セラミックコンデンサ１０は、第１の接地用電極２ｃおよび第２の接地用電極３ｃが第１の接地用外部端子５ａおよび第２の接地用外部端子５ｂに接続され、更に、第１の接地用外部端子５ａおよび第２の接地用外部端子５ｂが接地される。これにより、多連型積層セラミックコンデンサ１０は、第１の電極２ａと第２の電極２ｂとの間に形成されていた浮遊容量の一部が、第１の電極２ａと第２の接地用電極３ｃとの間の浮遊容量と、第２の電極２ｂと第２の接地用電極３ｃとの間の浮遊容量に分割されて、それぞれの浮遊容量を第２の接地用電極３ｃを通して接地端に落とすことができる。また、多連型積層セラミックコンデンサ１０は、第３の電極３ａと第４の電極３ｂとの間に形成されていた浮遊容量の一部が、第３の電極３ａと第１の接地用電極２ｃとの間の浮遊容量と、第４の電極３ｂと第１の接地用電極２ｃとの間の浮遊容量に分割されて、それぞれの浮遊容量を第１の接地用電極２ｃを通して接地端に落とすことができる。
【００５２】
したがって、多連型積層セラミックコンデンサ１０は、隣り合う第１の積層セラミックコンデンサ６ａと第２の積層セラミックコンデンサ６ｂとの間のクロストークを小さくすることができる。
【００５３】
このように、多連型積層セラミックコンデンサ１０は、隣り合う第１の積層セラミックコンデンサ６ａと第２の積層セラミックコンデンサ６ｂとの間において、浮遊容量を介して発生するクロストークを小さくすることができる。
【００５４】
ここで、シミュレーションにより得られたクロストークの結果について説明する。
【００５５】
図６Ａおよび図６Ｂは、本シミュレーションに用いた内部電極のパターンを示している。図６Ａは、実施の形態１に係る多連型積層セラミックコンデンサ１０の内部電極のパターンを示している。第１の内部電極２および第２の内部電極３はそれぞれ第１の接地用電極２ｃおよび第２の接地用電極３ｃを備えている。図６Ｂは、内部電極に接地用電極を備えていない多連型積層セラミックコンデンサの内部電極のパターンを示している。図６Ａは、本開示の一例の多連型積層セラミックコンデンサ１０であり、図６Ｂは、本開示の一例の多連型積層セラミックコンデンサに対して比較の多連型積層セラミックコンデンサの一例である。なお、本シミュレーションにおいて、本開示の一例および比較の一例に用いた多連型積層セラミックコンデンサは、材質および寸法等が同じであり、内部電極パターン以外の他の部分については同じであり、内部電極パターンのみを変更している。
【００５６】
図７Ａおよび図８Ａは、第１の接地用電極２ｃおよび第２の接地用電極３ｃを備えた場合のクロストークのシミュレーションの結果である。また、図７Ｂおよび図８Ｂは、第１の接地用電極２ｃおよび第２の接地用電極３ｃを備えていない場合のクロストークのシミュレーションの結果である。なお、本シミュレーションにおいて、図中の縦軸の数字は小さくなるほどクロストークが小さくなっていることを示す。
【００５７】
シミュレーションにおいて、回路構成は、Ｐ１が第１の積層セラミックコンデンサ６ａの第１の信号用外部端子４ａに、Ｐ２が第２の信号用外部端子４ｂに、また、Ｐ３が第２の積層セラミックコンデンサ６ｂの第４の信号用外部端子４ｄに、Ｐ４が第３の信号用外部端子４ｃにそれぞれ対応している。また、Ａは、第１の接地用電極２ｃおよび第２の接地用電極３ｃに対応している。
【００５８】
図７Ａおよび図７Ｂにおける矢印は、第１の信号用外部端子４ａに接続された第１の電極２ａと第４の信号用外部端子４ｄに接続された第２の電極２ｂとの間のクロストーク経路、第２の信号用外部端子４ｂに接続された第３の電極３ａと第３の信号用外部端子４ｃに接続された第４の電極３ｂとの間のクロストーク経路をそれぞれ示している。図７Ａおよび図７Ｂにおいて、クロストークは、第１の接地用電極２ｃおよび第２の接地用電極３ｃを備えることによって、接地用電極を備えていない場合と比べて、シミュレーションの周波数全域において小さくなっている。
【００５９】
したがって、多連型積層セラミックコンデンサ１０は、第１の電極２ａと第２の電極２ｂとの間の浮遊容量および第３の電極３ａと第４の電極３ｂとの間の浮遊容量が小さくなり、クロストークを小さくすることができる。
【００６０】
図８Ａおよび図８Ｂにおける矢印は、第１の信号用外部端子４ａに接続された第１の電極２ａと第３の信号用外部端子４ｃに接続された第４の電極３ｂとの間のクロストーク経路、第４の信号用外部端子４ｄに接続された第２の電極２ｂと第２の信号用外部端子４ｂに接続された第３の電極３ａとの間のクロストーク経路をそれぞれ示している。図８Ａおよび図８Ｂにおいて、クロストークは、第１の接地用電極２ｃおよび第２の接地用電極３ｃを備えることによって、接地用電極を備えていない場合と比べて、シミュレーションの周波数全域において小さくなっている。
【００６１】
したがって、多連型積層セラミックコンデンサ１０は、第１の電極２ａと第４の電極３ｂとの間の浮遊容量および第２の電極２ｂと第３の電極３ａとの間の浮遊容量が小さくなり、クロストークを小さくすることができる。
【００６２】
ここで、図１に示す多連型積層セラミックコンデンサ１０の製造方法の一例について説明する。
【００６３】
複数の第１および第２のセラミックグリーンシートを準備する。第１のセラミックグリーンシートは、第１の内部電極２を形成するものである。また、第２のセラミックグリーンシートは第２の内部電極３を形成するものである。
【００６４】
複数の第１のセラミックグリーンシートは、セラミックグリーンシート上に、第１の内部電極２の導体ペースト層を第１の内部電極２用の導体ペーストを用いて形成する。なお、第１のセラミックグリーンシートは、多数個の積層型コンデンサ本体を得るために、１枚のセラミックグリーンシート内に第１の内部電極２が複数個形成される。
【００６５】
また、複数の第２のセラミックグリーンシートは、セラミックグリーンシート上に、第２の内部電極３の導体ペースト層を第２の内部電極３用の導体ペーストを用いて形成する。なお、第２のセラミックグリーンシートには、多数個の積層型コンデンサ本体を得るために、１枚のセラミックグリーンシート内に第２の内部電極３が複数個形成される。
【００６６】
上述の第１の内部電極２および第２の内部電極３の導体ペースト層は、セラミックグリーンシート上に、例えば、それぞれの導体ペーストを所定のパターン形状でスクリーン印刷法等を用いて形成される。
【００６７】
セラミックグリーンシートの材料は、例えば、チタン酸バリウム（ＢａＴｉＯ3）、チタン酸カルシウム（ＣａＴｉＯ3）、チタン酸ストロンチウム（ＳｒＴｉＯ3）またはジルコン酸カルシム（ＣａＺｒＯ3）等の誘電体セラミックスを主成分とするものである。副成分として、例えば、Ｍｎ化合物、Ｆｅ化合物、Ｃｒ化合物、Ｃｏ化合物またはＮｉ化合物等が添加されたものであってもよい。
【００６８】
また、第１および第２のセラミックグリーンシートは、誘電体セラミックスの原料粉末および有機バインダに適当な有機溶剤等を添加して混合することによって泥漿状のセラミックスラリーを作製して、ドクターブレード法等を用いてセラミックスラリーを成形することによって得られる。
【００６９】
第１の内部電極２用および第２の内部電極３用の導体ペーストは、上述したそれぞれの内部電極の導体材料（金属材料）の粉末に添加剤（誘電体材料）、バインダ、溶剤、分散剤等を加えて混練することで作製される。
【００７０】
セラミック材料の積層体１は、第１のセラミックグリーンシートと第２のセラミックグリーンシートとを交互に積層して、内部電極を形成していないセラミックグリーンシートを積層方向の最外層にそれぞれ積層することによって作製する。
【００７１】
このように、複数の第１および第２のセラミックグリーンシートが積層された積層体は、プレスして一体化することによって、多数個の生積層体を含む大型の生積層体となる。この大型の生積層体を切断することによって、図１に示す積層型コンデンサ本体の積層体１となる生積層体を得ることができる。大型の生積層体の切断は、例えば、ダイシングブレード等を用いて行なうことができる。
【００７２】
そして、積層体１は、生積層体を、例えば、８００（℃）〜１３００（℃）で焼成することによって得ることができる。焼成することによって、複数の第１および第２のセラミックグリーンシートが誘電体層１ａとなる。第１の内部電極２の導体ペースト層は、第１の内部電極２となる。第２の内部電極３の導体ペースト層は、第２の内部電極３となる。また、積層体１は、例えば、バレル研磨等の研磨手段を用いて角部または辺部（稜線部）を丸められる。積層体１は、角部または辺部を丸めることによって角部または辺部が欠けにくいものになる。
【００７３】
下地電極は、下地電極となる導電性ペーストが第１の側面１ｄおよび第２の側面１ｅにそれぞれ設けられる。具体的には、下地電極となる導電性ペーストは、ローラ転写法を用いて、第１の側面１ｄおよび第２の側面１ｅに転写される。導電性ペーストは、第１の側面１ｄ（第２の側面１ｅ）に設けられるとともに、上面１ｂおよび下面１ｃに延在するように設けられる。転写された導電性ペーストは、焼結することによって下地電極になる。なお、下地電極用の導電ペーストは、上述した下地電極の金属材料の粉末にバインダ、溶剤、分散剤等を加えて混練することで作製される。
【００７４】
さらに、めっき層が、下地電極を覆うように下地電極の表面に設けられる。めっき層は、例えば、電解めっき法等を用いて、下地電極の表面に形成される。下地電極は、例えば、表面にニッケル（Ｎｉ）めっき層とニッケル（Ｎｉ）めっき層上に錫（Ｓｎ）めっき層が形成される。
【００７５】
上述の製造方法によって、多連型積層セラミックコンデンサ１０が得られることになる。
【００７６】
本開示は、上述の実施の形態１の多連型積層セラミックコンデンサに限定されるものではなく、本開示の要旨を逸脱しない範囲において種々の変更、改良等が可能である。以下、他の実施の形態について以下に説明する。なお、他の実施の形態に係る多連型積層セラミックコンデンサのうち、実施の形態１に係る多連型積層セラミックコンデンサと同じ部分については、同一の符号を付して適宜説明を省略する。
【００７７】
＜実施の形態２＞
以下、本開示の実施の形態２に係る多連型積層セラミックコンデンサ１０Ａについて、図９乃至図１１Ｂを参照しながら説明する。
【００７８】
多連型積層セラミックコンデンサ１０Ａは、第１の内部電極２０および第２の内部電極３０の引出し方向が多連型積層セラミックコンデンサ１０とは異なっている。
【００７９】
第１の内部電極２０は、積層体１内に配置され、図９および図１１Ａに示すように、第１の電極２Ａおよび第２の電極２Ｂを有している。第１の電極２Ａおよび第２の電極２Ｂは四角形状である。第１の電極２Ａおよび第２の電極２Ｂが一対となり、積層体１内の積層方向に対して直交する方向の同一面内に一対の側面に沿って並べて配置されている。すなわち、第１の電極２Ａおよび第２の電極２Ｂは、積層体１の長手方向に並べて配置されている。
【００８０】
第１の電極２Ａは、第１の側面１ｄへの引出部２Ａａを有している。また、第２の電極２Ｂは、第２の側面１ｅへの引出部２Ｂａを有している。第１の内部電極２０は、第１の電極２Ａと第２の電極２Ｂとの間に第１の接地用電極２Ｃが配置されている。なお、ここで、同一面内とは、同一の層間と同義であり、同一の誘電体層１ａ間にあることをいう。
【００８１】
第１の電極２Ａは、図１１Ａに示すように、積層方向から平面視して四角形状の主電極部を有しており、引出部２Ａａが主電極部の第１の側面１ｄ側の辺部から第１の側面１ｄに延在して設けられている。引出部２Ａａは、端部が第１の側面１ｄに露出するように第１の側面１ｄに引き出されている。
【００８２】
また、第２の電極２Ｂは、図１１Ａに示すように、積層方向から平面視して四角形状の主電極部を有しており、引出部２Ｂａが主電極部の第２の側面１ｅ側の辺部から第２の側面１ｅに延在して設けられている。引出部２Ｂａは、端部が第２の側面１ｅに露出するように第２の側面１ｅに引き出されている。
【００８３】
第２の内部電極３０は、積層体１内に形成され、図９および図１１Ｂに示すように、第３の電極３Ａおよび第４の電極３Ｂを有している。第３の電極３Ａおよび第４の電極３Ｂは四角形状である。第３の電極３Ａおよび第４の電極３Ｂが一対となり、積層体１内の積層方向に対して直交する方向の同一面内に一対の側面に沿って並べて配置されている。すなわち、第３の電極３Ａおよび第４の電極３Ｂは、積層体１の長手方向に並べて配置されている。第３の電極３Ａは、第１の電極２Ａに積層方向で重なる位置に配置されるとともに第２の側面１ｅへの引出部３Ａａを有している。また、第４の電極３Ｂは、第２の電極２Ｂに積層方向で重なる位置に配置されるとともに第１の側面１ｄへの引出部３Ｂａを有している。第２の内部電極３０は、第３の電極３Ａと第４の電極３Ｂとの間に第２の接地用電極３Ｃが配置されている。なお、ここでも同一面内とは、同一の層間と同義であり、同一の誘電体層１ａ間にあることをいう。
【００８４】
このように、第３の電極３Ａは、積層方向に第１の電極２Ａに対向して配置され、第４の電極３Ｂは、積層方向に第２の電極２Ｂに対向して配置され、第２の接地用電極３Ｃは、図１０Ｂに示すように、積層方向に第１の接地用電極２Ｃに対向して配置されている。
【００８５】
第３の電極３Ａは、図１１Ｂに示すように、積層方向から平面視して四角形状の主電極部を有しており、引出部３Ａａが主電極部の第２の側面１ｅ側の辺部から第２の側面１ｅに延在して設けられている。引出部３Ａａは、端部が第２の側面１ｅに露出するように第２の側面１ｅに引き出されている。
【００８６】
また、第４の電極３Ｂは、図１１Ｂに示すように、積層方向から平面視して四角形状の主電極部を有しており、引出部３Ｂａが主電極部の第１の側面１ｄ側の辺部から第１の側面１ｄに延在して設けられている。引出部３Ｂａは、端部が第１の側面１ｄに露出するように第１の側面１ｄに引き出されている。
【００８７】
多連型積層セラミックコンデンサ１０Ａは、図９に示すように、誘電体層１ａを挟んで複数の第１の内部電極２０と複数の第２の内部電極３０とが交互に積層され、積層体１内に並列方向に所定間隔をおいて第１の積層セラミックコンデンサ６Ａおよび第２の積層セラミックコンデンサ６Ｂが並設されている。
【００８８】
第１の内部電極２０は、第１の電極２Ａおよび第２の電極２Ｂに加えて、第１の接地用電極２Ｃを含んでいる。第１の接地用電極２Ｃは、四角形状であり、図１１Ａに示すように、第１の電極２Ａと第２の電極２Ｂとの間に配置されている。第１の接地用電極２Ｃは、積層方向から平面視して四角形状の主電極部を有し、引出部２Ｃａおよび引出部２Ｃｂを備えている。引出部２Ｃａは、主電極部の第１の側面１ｄ側の辺部から第１の側面１ｄに延在し、端部が第１の側面１ｄに露出するように第１の側面１ｄに引き出されている。また、引出部２Ｃｂは、主電極部の第２の側面１ｅ側の辺部から第２の側面１ｅに延在し、端部が第２の側面１ｅに露出するように第２の側面１ｅに引き出されている。また、第１の接地用電極２Ｃは、必ずしも引出部２ｃａおよび引出部２ｃｂが必要ではない。第１の接地用電極２Ｃは、主電極部の四角形状を維持したままで第１の側面１ｄおよび第２の側面１ｅに引き出されてもよい。
【００８９】
第１の電極２Ａと第１の接地用電極２Ｃは、同一面内において、例えば、２０（μｍ）〜１００（μｍ）の間をおいて互いに配置されている。また、第２の電極２Ｂと第１の接地用電極２Ｃは、同一面内において、例えば、２０（μｍ）〜１００（μｍ）の間をおいて互いに配置されている。また、第１の接地用電極２Ｃは、積層体１の長手方向（Ｘ方向）の長さが、例えば、６００（μｍ）〜１０００（μｍ）である。
【００９０】
このように、多連型積層セラミックコンデンサ１０Ａは、第３の電極３Ａが積層方向で第１の電極２Ａに対向して配置され、第４の電極３Ｂが積層方向で第２の電極２Ｂに対向して配置され、さらに、第２の接地用電極３Ｃが第１の接地用電極２Ｃに対向して配置されている。
【００９１】
第２の内部電極３０は、第３の電極３Ａおよび第４の電極３Ｂに加えて、第２の接地用電極３Ｃを含んでいる。第２の接地用電極３Ｃは、四角形状であり、図１１Ｂに示すように、第３の電極３Ａと第４の電極３Ｂとの間に配置されている。第２の接地用電極３Ｃは、積層方向から平面視して四角形状の主電極部を有し、引出部３Ｃａおよび引出部３Ｃｂを備えている。引出部３Ｃａは、主電極部の第１の側面１ｄ側の辺部から第１の側面１ｄに延在し、端部が第１の側面１ｄに露出するように第１の側面１ｄに引き出されている。また、引出部３Ｃｂは、主電極部の第２の側面１ｅ側の辺部から第２の側面１ｅに延在し、端部が第２の側面１ｅに露出するように第２の側面１ｅに引き出されている。また、第２の接地用電極３Ｃは、必ずしも引出部３Ｃａおよび引出部３Ｃｂが必要ではない。第２の接地用電極３Ｃは、主電極部の四角形状を維持したままで第１の側面１ｄおよび第２の側面１ｅに引き出されてもよい。
【００９２】
第３の電極３Ａと第２の接地用電極３Ｃは、同一面内において、例えば、２０（μｍ）〜１００（μｍ）の間をおいて互いに配置されている。また、第４の電極３Ｂと第２の接地用電極３Ｃは、同一面内において、例えば、２０（μｍ）〜１００（μｍ）の間をおいて互いに配置されている。また、第２の接地用電極３Ｃは、積層体１の長手方向（Ｘ方向）の長さが、例えば、６００（μｍ）〜１０００（μｍ）である。
【００９３】
上述のように、多連型積層セラミックコンデンサ１０Ａは、図１０Ａに示すように、積層体１内の積層方向において、第１の積層セラミックコンデンサ６Ａが複数の第１の電極２Ａおよび複数の第３の電極３Ａで形成される。また、多連型積層セラミックコンデンサ１０Ａは、図１０Ｃに示すように、第２の積層セラミックコンデンサ６Ｂが複数の第２の電極２Ｂおよび複数の第４の電極３Ｂで形成される。
【００９４】
また、上述したように、多連型積層セラミックコンデンサは、隣り合う積層体１内の積層セラミックコンデンサ間で浮遊容量が形成されると、浮遊容量が信号の漏れる経路となりクロストークが大きくなりやすい。
【００９５】
しかしながら、多連型積層セラミックコンデンサ１０Ａは、第１の電極２Ａと第２の電極２Ｂとの間に第１の接地用電極２Ｃが配置され、また、第３の電極３Ａと第４の電極３Ｂとの間に第２の接地用電極３Ｃが配置されている。さらに、多連型積層セラミックコンデンサ１０Ａは、第１の接地用電極２Ｃおよび第２の接地用電極３Ｃが第１の接地用外部端子５ａおよび第２の接地用外部端子５ｂにそれぞれ接続されている。更に、多連型積層セラミックコンデンサ１０Ａは、第１の接地用外部端子５ａおよび第２の接地用外部端子５ｂが接地される。したがって、多連型積層セラミックコンデンサ１０Ａは、多連型積層セラミックコンデンサ１０と同じようにクロストークを小さくすることができる。
【００９６】
すなわち、多連型積層セラミックコンデンサ１０Ａは、多連型積層セラミックコンデンサ１０と同じように、第１の電極２Ａと第２の電極２Ｂとの間で形成されていた浮遊容量の一部が、第１の電極２Ａと第１の接地用電極２Ｃとの間の浮遊容量と、第２の電極２Ｂと第１の接地用電極２Ｃとの間の浮遊容量に分割されて、それぞれの浮遊容量を第１の接地用電極２Ｃを通して接地端に落とすことができる。また、多連型積層セラミックコンデンサ１０Ａは、第３の電極３Ａと第４の電極３Ｂとの間に形成されていた浮遊容量の一部が、第３の電極３Ａと第２の接地用電極３Ｃとの間の浮遊容量と、第４の電極３Ｂと第２の接地用電極３Ｃとの間の浮遊容量に分割されて、それぞれの浮遊容量を第２の接地用電極３Ｃを通して接地端に落とすことができる。
【００９７】
このように、多連型積層セラミックコンデンサ１０Ａは、隣り合う第１の積層セラミックコンデンサ６Ａと第２の積層セラミックコンデンサ６Ｂとの間において、浮遊容量を介して発生するクロストークを小さくすることができる。
【００９８】
本開示は、上述した実施の形態１および実施の形態２に特に限定されるものではなく、本開示の範囲内で種々の変更および改良が可能である。
【００９９】
例えば、多連型積層セラミックコンデンサ１０は、第１の接地用電極２ｃが第１の電極２ａと第２の電極２ｂとの間に配置され、第２の接地用電極３ｃが第３の電極３ａと第４の電極３ｂとの間に配置されているが、これらの構成に限定されない。
【０１００】
本開示の多連型積層セラミックコンデンサ１０（１０Ａ）は、同一面内において第１の内部電極２および第２の内部電極３がそれぞれ有する電極の個数が３個以上であってもよい。例えば、多連型積層セラミックコンデンサ１０は、図１２Ａ、図１２Ｂおよび図１３に示すように、第１の内部電極２および第２の内部電極３において同一面内で長手方向（Ｘ方向）に複数個（３個以上）の電極を配置し、引出部を側面に引き出してそれらの電極の間に接地用電極を配置してもよい。例えば、多連型積層セラミックコンデンサ１０Ｂは、図１３に示すように、第１の積層セラミックコンデンサ６ａ、第２の積層セラミックコンデンサ６ｂおよび第３の積層セラミックコンデンサ６ｃが並設されている。
【０１０１】
また、第１の内部電極２および第２の内部電極３の引出部は、多連型積層セラミックコンデンサ１０Ａと同じ様に、第１の側面１ｄおよび第２の側面１ｅにそれぞれ交互に千鳥状に配列されていてもよい。
【符号の説明】
【０１０２】
１  積層体
１ａ  誘電体層
２、２０  第１の内部電極
２ａ、２Ａ  第１の電極
２ａａ、２Ａａ  引出部
２ｂ、２Ｂ  第２の電極
２ｂａ、２Ｂａ  引出部
２ｃ、２Ｃ  第１の接地用電極
２ｃａ、２ｃｂ、２Ｃａ、２Ｃｂ  引出部
３、３０  第２の内部電極
３ａ、３Ａ  第３の電極
３ａａ、３Ａａ  引出部
３ｂ、３Ｂ  第４の電極
３ｂａ、３Ｂａ  引出部
３ｃ、３Ｃ  第２の接地用電極
３ｃａ、３ｃｂ、２Ｃａ、３Ｃｂ  引出部
４ａ〜４ｄ  第１〜第４の信号用外部端子
５ａ  第１の接地用外部端子
５ｂ  第２の接地用外部端子
６ａ  第１の積層セラミックコンデンサ
６ｂ  第２の積層セラミックコンデンサ
６ｃ  第３の積層セラミックコンデンサ
１０、１０Ａ、１０Ｂ  多連型積層セラミックコンデンサ
【図１】
2018199220.tif 000003
【図２】
2018199220.tif 000004
【図３】
2018199220.tif 000005
【図４Ａ】
2018199220.tif 000006
【図４Ｂ】
2018199220.tif 000007
【図４Ｃ】
2018199220.tif 000008
【図５Ａ】
2018199220.tif 000009
【図５Ｂ】
2018199220.tif 000010
【図６Ａ】
2018199220.tif 000011
【図６Ｂ】
2018199220.tif 000012
【図７Ａ】
2018199220.tif 000013
【図７Ｂ】
2018199220.tif 000014
【図８Ａ】
2018199220.tif 000015
【図８Ｂ】
2018199220.tif 000016
【図９】
2018199220.tif 000017
【図１０Ａ】
2018199220.tif 000018
【図１０Ｂ】
2018199220.tif 000019
【図１０Ｃ】
2018199220.tif 000020
【図１１Ａ】
2018199220.tif 000021
【図１１Ｂ】
2018199220.tif 000022
【図１２Ａ】
2018199220.tif 000023
【図１２Ｂ】
2018199220.tif 000024
【図１３】
2018199220.tif 000025
【国際調査報告】
2018199220.tif 000026
2018199220.tif 000027
2018199220.tif 000028